Podtech/llm-jp-corpus-v4-ja_patent huggingface dataset:
(57)【要約】      （修正有）【課題】隊列走行において、先行車両の加速に追従するときに、後続車両の燃費が悪化することを抑制する隊列走行制御装置を提供する。【解決手段】隊列を組んで複数の車両を走行させる隊列走行制御装置１００において、隊列走行制御ＥＣＵ５は、車車間通信装置４によって周囲の車両と車両重量や目標加速度などの情報を交換し、複数の車両において重量が重い車両から順に並ぶように、隊列の順序を決定する隊列順序決定部、を備える。【選択図】図１
2019185608.tif 000002
【特許請求の範囲】
【請求項１】
隊列を組んで複数の車両を走行させる隊列走行制御装置であって、
前記複数の車両において重量が重い車両から順に並ぶように、前記隊列の順序を決定する隊列順序決定部、を備える隊列走行制御装置。
【発明の詳細な説明】
【技術分野】
【０００１】
本発明は、隊列走行制御装置に関する。
【背景技術】
【０００２】
複数の車両による隊列走行を制御する隊列走行制御装置が提案されている。特許文献１には、隊列走行を行う各車両の燃費の向上を目的として、減速を開始する地点から目標地点までの減速距離が短い車両から順に並ぶように隊列の順序を決定する隊列走行制御装置が記載されている。
【先行技術文献】
【特許文献】
【０００３】
【特許文献１】特開２００８−２０４０９４号公報
【発明の概要】
【発明が解決しようとする課題】
【０００４】
しかしながら、従来の隊列の順序では、先行車両の加速に追従するときに、後続車両が燃費の悪い運転点での走行を強いられ、後続車両の燃費が悪化してしまうおそれがある。
【０００５】
そこで、本発明は、隊列走行において、先行車両の加速に追従するときに、後続車両の燃費が悪化することを抑制することを課題とする。
【課題を解決するための手段】
【０００６】
かかる課題を解決するために、本明細書に開示された隊列走行制御装置は、隊列を組んで複数の車両を走行させる隊列走行制御装置であって、前記複数の車両において重量が重い車両から順に並ぶように、前記隊列の順序を決定する隊列順序決定部、を備える。
【発明の効果】
【０００７】
本明細書開示の隊列走行制御装置によれば、隊列走行において、先行車両の加速に追従するときに、後続車両の燃費が悪化することを抑制することができる。
【図面の簡単な説明】
【０００８】
【図１】図１は、実施形態に係る隊列走行制御装置の構成を示す概略図である。
【図２】図２は、隊列走行制御ＥＣＵが実行する隊列順序決定処理の一例を示すフローチャートである。
【発明を実施するための形態】
【０００９】
図１は、本実施形態に係る隊列走行制御システムにおける各車両が有する隊列走行制御装置の機能構成を示す概略図である。隊列走行制御装置１００は、ミリ波レーダ２、ＧＰＳ装置３、車車間通信装置４、及び隊列順序決定部としての隊列走行制御ＥＣＵ５を備える。隊列走行制御ＥＣＵ５は、ＣＰＵ、ＲＯＭ、ＲＡＭなどから構成されるコンピュータであって、ＣＰＵがプログラムを実行することで、以下で説明する隊列順序決定処理を実行する。
【００１０】
隊列走行制御ＥＣＵ５は、ミリ波レーダ２から周囲の車両との距離、ＧＰＳ装置３から現在位置を取得するとともに、車車間通信装置４によって周囲の車両から種々の情報を取得する。車車間通信では、各車両が、自車両の重量、自車両の現在位置、目標加速度、目標速度、現在の加速度、現在の速度、車群内での順番などの情報を交換する。車車間通信装置４は、たとえば、１００ミリ秒ごとに１回などの頻度で、車両情報を送信する。
【００１１】
隊列走行制御ＥＣＵ５は、車車間通信により取得した車群内の車両の重量に基づいて、隊列の順序を決定する。
【００１２】
図２は、本実施形態における隊列走行制御ＥＣＵ５が実行する隊列順序決定処理を示すフローチャートである。まず、隊列走行制御ＥＣＵ５は、車車間通信装置４によって車群内の他車両の重量情報を取得する（ステップＳ１１）。
【００１３】
次に、隊列走行制御ＥＣＵ５は、車群内の他車両及び自車両の重量を比較し、重量が重い車両から順に並ぶように隊列の走行順序を決定し、図２の処理を終了する（ステップＳ１３）。
【００１４】
このように、隊列走行制御ＥＣＵ５は、重量が重い車両から順に並ぶように隊列の順序を決定する。すなわち、隊列走行制御ＥＣＵ５は、先頭車両は重量が最も重い車両とし、後続車両も重量が重い順に並ぶように、隊列の順序を決定する。
【００１５】
隊列走行を行うには、先行車両と後続車両との間で車間距離を維持することが必要である。ここで、先頭車両が地形や交通状況に合わせて加速したとする。このとき、隊列を維持（車間距離を維持）するため、後続車両は先頭車両に追従して加速する。このとき、後続車両は、熱効率が悪いタイミング（燃費が悪い運転点）での加速を強いられ、燃費が悪化するおそれがある。ここで、重量の重い車両ほど加速性が悪いため、重量の重い車両ほど燃費が悪化する。
【００１６】
そこで、本実施形態では、隊列内の車両の順序を車両の重量が重い順としている。これにより、先行車両に追従するために加速した場合に燃費が最も悪化する最も重い車両が先頭車両となる。先頭車両は熱効率がよいタイミング（燃費が良い運転点）で加速を行うことができるため、重量が最も重い車両の燃費の悪化が抑制される。また、後続車両は先行車両よりも重量が軽く加速性が良い車両となるため、先行車両の加速に後続車両が追従する場合も、後続車両は熱効率が良いタイミング（燃費が良い運転点）で加速を行うことができる。そのため、各車両の加速に伴う燃費の悪化が抑制できる。
【００１７】
隊列走行制御ＥＣＵ５は、決定した順序に自車両及び他車両が並ぶように追い越しなどを行わせることによって、隊列を形成させる。具体的には、隊列走行制御ＥＣＵ５は、ミリ波レーダ２、ＧＰＳ装置３、車車間通信装置４などから得られる情報に基づいて、決定した順序に自車両及び他車両が並ぶようにスロットル６、ブレーキ７、ステアリング８などを制御する。各種入力情報に基づいて、車両の制御量を決定する処理は、従来の隊列走行制御と同様に行えば良いので、詳細な説明は省略する。
【００１８】
なお、隊列走行を維持・管理するための車車間通信の詳細処理については省略するが、例えば、車群内において管理リーダーとなる車両が定期的にメッセージ送信し、これに応答する形で他の車両がメッセージを送信する形態が採用可能である。
【００１９】
上記実施形態は本発明を実施するための例にすぎず、本発明はこれらに限定されるものではなく、これらの実施例を種々変形することは本発明の範囲内であり、更に本発明の範囲内において、他の様々な実施例が可能であることは上記記載から自明である。
【符号の説明】
【００２０】
５    隊列走行制御ＥＣＵ（隊列順序決定部）
１００  隊列走行制御装置
【図１】
2019185608.tif 000003
【図２】
2019185608.tif 000004
(57)【要約】【課題】無線ＬＡＮを利用した情報装置であり、ネットワークも構築できる構成で、スマートフォンやタブレットなどの情報端末等に、情報装置内の記憶データを提供する事。【解決手段】データを記憶し制御する機能に、一つ若しくは二つの無線ＬＡＮ機能と接続し制御する機能で構成した情報装置として利用する。又、この装置に時計機能とＧＰＳ機能を接続する事で、情報の提供時間帯を制御する事が出来る。【選択図】図２
2019185699.tif 000002
【特許請求の範囲】
【請求項１】
データを記憶し制御する機能に、一つの無線ＬＡＮ機能を接続し、スマートフォンやタブレット等の情報端末との間を、無線通信を介して、記憶されたデータを閲覧、又は、記憶データの更新や削除が出来るローカル情報装置。
【請求項２】
この装置を複数配置し、ネットワークを構築する上で、前記の装置に一つの無線ＬＡＮ機能を追加接続し、各装置間の記憶データを、無線通信により共有する事が出来る請求項１に記載のローカ情報装置。
【請求項３】
この装置に、時計機能とＧＰＳ機能を接続し制御する機能で、スマートフォンやタブレット等の情報端末との無線通信の時間帯を制御させる請求項１及び請求項２に記載のローカル情報装置。
【発明の詳細な説明】
【技術分野】
【０００１】無線ＬＡＮによる情報伝達手段とネットワーク構成に関する。
【背景技術】
【０００２】  従来の情報伝達は、インターネット通信網により、どこの場所からでも膨大な情報から必要な情報を検索して、目的の情報を、マートフォンやタブレットなどの情報端末等で入手できる事を目的にしたものである。
【発明の概要】
【発明が解決しようとする課題】
【０００３】  限定した範囲内の情報を、特定の範囲やネットワークで構築出来る装置で、目的に応じた情報を素早く、マートフォンやタブレットなどの情報端末等に提供する事。
【課題を解決するための手段】
【０００４】  本発明は、データを記憶し制御する機能に、目的に応じて、一つの無線ＬＡＮ機能と接続した情報装置としたり、もう一つの無線ＬＡＮ機能を追加接続する事で、ネットワークを構築し、各装置内のデータを共有が出来る情報装置である。【０００５】  この装置に時計機能とＧＰＳ機能を接続し、情報の提供時間帯を制御する事が出来る。【０００６】  これにより、無線ＬＡＮの無線通信範囲内では、装置内のデータやネットワークによる共有データを、スマートフォンやタブレットなどの情報端末等で得る事が出来る。
【発明の効果】
【０００７】  限定した範囲内の情報装置であり、装置は目的に応じた情報や、個別の情報を提供する事が出来る。又、ネットワークを構築する事も出来る。これにより、スムーズに目的に応じた情報を提供する事が出来る。又、目的に応じて、不必要な時間帯には、情報を提供しない事も出来る。【０００８】  この情報装置は、無線ＬＡＮで構築された限定した範囲内だけで完結する事で、情報の拡散を抑える事が出来る。よって、インターネットを介さない簡便で、安全性が高い情報提供が出来る。
【発明を実施するための形態】
【０００９】  図１は、データを記憶し制御する本体１に、一つの無線ＬＡＮ機能２を接続し制御する機能と、時計機能４とＧＰＳ機能５からなる構成を接続し制御する機能を備えた装置を示している。
【００１０】  本体１内に記憶したデータは、無線ＬＡＮ機能２によるデータ通信を介して、データ閲覧者の、スマートフォンやタブレットなどの情報端末６との間で通信接続し、装置に記憶された内容を閲覧出来る。
【００１１】  又、本体１内における記憶データの更新や削除等のデータ編集には、本体１に、運用管理者の編集用情報端末で、ＵＳＢ等のメモリーや有線接続を介して行うか、無線ＬＡＮ機能２によるデータ通信を介して、運用管理者の編集用情報端末間での通信接続によってデータ編集を行う。
【００１２】    運用上、必要に応じて情報の提供時間帯を限定したい場合は、時計機能４により運用時間を設定する事で、本体１や無線ＬＡＮ機能２を制御させる。又、ＧＰＳ機能５によりＧＰＳから送られてくる時間データを利用して、定期的に時計機能４の時間補正を行う。場合によっては、位置情報も提供が可能である。ただし、ＧＰＳが受信できない場所では、運用管理者の情報端末で、無線ＬＡＮ機能２を介して時間補正を行う。又、運用上２４時間装置を稼働させる場合は、時計機能４とＧＰＳ機能５を、本体１に接続しないか起動させない事とする。
【００１３】  図２では、データを記憶し制御する本体１に、二つの無線ＬＡＮ機能２と無線ＬＡＮ機能３を接続しいる。又、時計機能４とＧＰＳ機能５を本体１に接続した装置を示している。
【００１４】  これにより、無線ＬＡＮ機能２と時計機能４やＧＰＳ機能５は、図１に記載した内容と同じであり、これに無線ＬＡＮ機能３を接続する事で、複数配置した各装置１内に記憶されたデータを、通信可能範囲内でネットワークを構築して、各無線ＬＡＮ機能３の相互間のデータを共有し、データ閲覧者の、スマートフォンやタブレットなどの情報端末６は、最寄りの無線ＬＡＮ機能２と通信接続し、各装置の本体１に記憶された内容を閲覧出来る。
【産業上の利用可能性】
【００１５】  インターネットによる膨大な情報網ではなく、ローカルネットワークに特化することで、利用者がその場所で最も必要とする情報を提供し、選別された情報提供や、不必要な情報の提供が軽減された情報媒体としての運用が可能である。
【図面の簡単な説明】
【００１６】
【図１】は、一つの無線ＬＡＮ接続された装置の構成図である。
【図２】は、二つの無線ＬＡＮ接続された装置の構成図である。
【符号の説明】
【００１７】  １  本体
２  無線ＬＡＮ機能
３  無線ＬＡＮ機能
４  時計機能
５  ＧＰＳ機能
６  情報端末
【図１】
2019185699.tif 000003
【図２】
2019185699.tif 000004
(57)【要約】【課題】銀行でインターネットバンキングのどろぼう被害が問題になっている。銀行内でインターネットバンキングホームページを回収しても、銀行の外に外国の銀行とコンビニ銀行が存在する。そこで、コンビニ銀行にもインターネットバンキングをやめてもらいたい。【解決手段】現金を４００万京円までレジで入金できるキャッシュカードを用意し、客に現金を入れてもらう。このことで、貯金を安全にあずかれ、コンビニ銀は、多くの貯金をあずかれる。口座や銀行経営に時間をさかれることがない。ネットバンクがないので、どろぼうがなくなる。【選択図】なし【特許請求の範囲】
【請求項１】
現金を４００万京円までレジで入金可能なキャッシュカード。
表面には、会社名ともち主の氏名がかいてある。
イトーヨーカドーのナナコカードのようなかんじの現金を入金できるカード。
会員番号は、中に入力されており、表面、裏面をみてもかかれていない。
【発明の詳細な説明】
【技術分野】
【０００１】本発明は、銀行のキャッシュカードのような形をした現金を入れることのできるキャッシュカードに関する。
【背景技術】
【０００２】従来は、現金を入れるキャッシュカードといえば、イトーヨーカドーのナナコカードのようなものである。入金額は１０万円程度で、裏にバーコード番号がついており、盗撮されにくくなっている。
銀行のキャッシュカードは、一般にＡＴＭで使う引落の際に使う本人確認用カードであり、現金や明細が中に記録されることはない。
【発明の概要】
【発明が解決しようとする課題】
【０００３】インターネットバンキング（個人用）のどろぼうがやむことがないことが２０年も続き、問題になっている。対策は、長年にわたりたててきたが、もうあと１年程度で２０年で特許拡張となるので、その前にインターネットバンキング（個人用）を回収したい。だが、回収してもなお、インターネットバンキングによる被害がのこる。銀行のインターネットバンキング（個人用）ホームページを回収しても、銀行の外にコンビニ銀行がいて、更に外国の銀行も存在する。今回は、一般銀行の外のコンビニ銀行の対処方法についてである。
【課題を解決するための手段】
【０００４】セブン銀行などのホームページを回収して、その上で、現金を４００万京円まで入れることのできるキャッシュカードを作成することにより、銀行をやめてもらう。
現在は、ナナコカードに現金１０万円までおさめることができる。それ以外は、セブン銀行などのインターネットバンキングホームページからお金を２４時間３６５日引落ができることで対処している。
銀行で経営することで使う時間をより、多くの商品の開発や管理につかった方がいいからである。銀行を経営しなくても、現金の入ったキャッシュカードをもてば、買い物ができるし、現在のような、どろぼう被害の多い社会の中では、確実に口座に現金をためることが難しいからである。キャッシュカードに多くの現金を入れることができれば、大きな買物ができる利点があるし、コンビニも多くの現金をあずかることができるということである。
ホームページをなくせば、どろぼうの疑いは消えるし、キャッシュのようにもち歩けるものに現金を入れられれば、もちはこびも楽である。
金庫に収納するにしても、スペースを多くとらなくてすむ。
【発明の効果】
【０００５】銀行経営に多大な時間を費すことをしないで、より安全に、多くの貯金を客から集めることができる。コンビニは、２４時間使える、キャッシュカードももちはこべるので金額にこだわらない買い物が、土・日を問わず実行できる。
どろぼうされることに対処しなくてすむ。
【図面の簡単な説明】
【０００６】なし
【発明を実施するための形態】
【０００７】現金を４００万京円（４００垓）入金可能なキャッシュカードをつくり、客にお金を入金（レジで）してもらう。物を買う時は、レジでキャッシュカードの中の金を使う。このキャッシュカードは、表面にカード番号、会員番号が記録がなく、中に番号や金を入金できるものである。
(57)【要約】【課題】ワークの高速搬送システム及びそれを備えた工作機械の提供を目的とする。【解決手段】Ｘ，Ｙ，Ｚ軸のうち、２軸以上にそれぞれ移動制御手段を備えたワークの搬送システムであって、ワークを目標の位置に搬送する際に、一の軸方向の移動動作が完了するステップの前に他の軸方向の移動動作が開始するステップを有することを特徴とする。【選択図】  図１
2019030942.tif 000002
【特許請求の範囲】
【請求項１】
Ｘ，Ｙ，Ｚ軸のうち、２軸以上にそれぞれ移動制御手段を備えたワークの搬送システムであって、
ワークを目標の位置に搬送する際に、一の軸方向の移動動作が完了するステップの前に他の軸方向の移動動作が開始するステップを有することを特徴とするワークの搬送システム。
【請求項２】
前記一の軸方向の移動動作が高速動作から減速に切り換わる際に又は減速中に、
前記他の軸方向の移動動作の開始指令が出力されることを特徴する請求項１記載のワーク搬送システム。
【請求項３】
前記ワークの搬送中の位置座標の検出手段を有し、
設定してある干渉領域に前記ワークが侵入する恐れが発生すると前記搬送が自動停止する停止制御手段を有していることを特徴とする請求項１又は２記載のワーク搬送システム。
【請求項４】
請求項１〜３のいずれかのワーク搬送システムを備えた工作機械。
【発明の詳細な説明】
【技術分野】
【０００１】
本発明は、ワークの搬送システムに関し、特に高速化を図った搬送システムに係る。
【背景技術】
【０００２】
工作機械には、ワークの受け渡しを行う目的で、ガントリーローダ等の搬送装置が備えられているものがある。
従来は、図２に示すような搬送システムになっている。
例えば、機外でワークを把持し、工作機械の主軸等にワークを受け渡す際には、ワーク（図示省略）を把持した搬送ハンド１は、まずＺ軸方向に機内に向けて移動し、Ｚ軸方向の移動が高速（ＶＺ）から減速（ＶＺ１）に切り換わり、Ｚ軸方向の移動が完了し、停止（ＶＺ２）した後に搬送ハンド１がＹ軸方向に下降移動する。
この際に、Ｙ軸方向の動作開始指令が出力されると、停止状態（ＶＹ２）から移動速度が上昇（ＶＹ１）するステップを経て、高速移動（ＶＹ）に移る。
これでは、Ｚ軸方向の移動が完了する第１ステップから、Ｙ軸方向の移動が開始される第２ステップの間に動きが遅く、あたかも動きが停まっているかのように見えるロス時間（ＴＯ）が発生する問題があった。
【０００３】
特許文献１には、ガントリーローダを付設した工作機械を開示し、レールに沿って走行可能な走行体と、この走行体に付設された上下動機構を有している。
しかし、同公報には、走行と上下動との切り換え方法については、具体的な記載がない。
【先行技術文献】
【特許文献】
【０００４】
【特許文献１】特開２０１４−４７０１０号公報
【発明の概要】
【発明が解決しようとする課題】
【０００５】
本発明は、ワークの高速搬送システム及びそれを備えた工作機械の提供を目的とする。
【課題を解決するための手段】
【０００６】
本発明に係るワークの搬送システムは、Ｘ，Ｙ，Ｚ軸のうち、２軸以上にそれぞれ移動制御手段を備えたワークの搬送システムであって、ワークを目標の位置に搬送する際に、一の軸方向の移動動作が完了するステップの前に他の軸方向の移動動作が開始するステップを有することを特徴とする。
ここで、一の軸方向とは、ある１つの軸方向との意味である。
【０００７】
本明細書では便宜上、図１にて左右方向をＺ軸方向，上下方向をＹ軸方向，紙面の表裏方向をＸ軸方向として説明するが、２次元又は３次元座標であれば、どのように定義してもよい。
【０００８】
本発明において、一の軸方向の移動動作が高速動作から減速に切り換わる際に又は減速中に、前記他の軸方向の移動動作の開始指令が出力されるものであってよい。
また、ワークの搬送中の位置座標の検出手段を有し、設定してある干渉領域に前記ワークが侵入する恐れが発生すると前記搬送が自動停止する停止制御手段を有するようにすることもできる。
【発明の効果】
【０００９】
本発明におけるワーク搬送システムは、２軸方向の２ステップ移動制御、又は３軸方向の３ステップ移動制御において、それぞれの軸方向の移動動作が一部オーバラップするように連続移動制御したので、従来のステップ毎の移動制御に比較して、高速搬送が可能になる。
このような搬送システムを備えた工作機械を得ることもできる。
【図面の簡単な説明】
【００１０】
【図１】本発明に係る搬送システムの例を示す。
【図２】従来のワーク搬送方法を示す。
【発明を実施するための形態】
【００１１】
本発明に係るワークの搬送システムの構成例を図１に示す。
図１は、工作機械の図示は省略してあり、工作機械例えば、旋盤やその複合加工機等にガントリーローダ等の搬送装置が備えられている。
図１（ａ）は、ガントリーローダのワークを把持して搬送する搬送ハンド１を表示してある。
本実施例では、ワークを工作機械に受け渡す第１チャック部１ａと、工作機械外に搬送するための第２チャック部１ｂを有した例になっている。
また、工作機械に有する主軸台や刃物台等との干渉を防止するための干渉領域２を設定し、ワークの座標上の移動位置が認識されるようになっている。
【００１２】
図１（ａ）は、例えばワークを第１ステップとしてＺ軸方向に移動し、途中で第２ステップとしてＹ軸方向に移動する例を示すが、どの方向に移動が切り換わるか、あるいは２軸方向の他に３軸方向の移動切り換えも同様に構築することができる。
第１ステップから第２ステップに切り換わる際の時間−速度のグラフを図１（ｂ）に示す。
Ｚ軸方向に高速（Ｖ１）で移動してきた搬送ハンド１は、Ｙ軸方向に移動を切り換える準備として、必要に応じて減速指令を介して、停止指令により減速Ｖ１１する。
この減速Ｖ１１の開始、あるいはその後、所定の速度まで減速された（速度又は経過時間を検出する）時点で、Ｙ軸方向の第２ステップの動作開始指令が出力される。
これにより、Ｙ軸方向の移動速度が上昇（Ｖ３１）し、高速（Ｖ３）に切り換わる。
よって、図１（ｂ）のグラフに示すように、Ｚ軸方向の速度成分と、Ｙ軸方向の速度成分とがオーバラップしているオーバラップ区間Ｖ４が発生している。
この移動が合成され（Ｖ２）の移動として現れる。
これにより、２軸方向あるいは３軸方向の移動がオーバラップさせながら切り換わり、高速搬送が可能である。
【００１３】
本実施例では、図１（ａ）に示すように干渉領域２を設定してあり、ワーク（搬送ハンド）の位置検出手段により、ワークがこの干渉領域に侵入する恐れが生じると、搬送装置が安全停止し、アラームが鳴るようになっている。
【符号の説明】
【００１４】
１        搬送ハンド
２        干渉領域
【図１】
2019030942.tif 000003
【図２】
2019030942.tif 000004
(57)【要約】      （修正有）【課題】超小型の直流モーターの回転トルクを外形寸法を変えずに増強出来る構造とする。【解決手段】モーター内部の回転子と固定子の間の向き合う面積を広くするために回転子の外周を複数の外径の軸方向断面が櫛の歯状に製作し固定子の内径も回転子に間隙を保って向き合うよう軸方向断面が櫛の歯状に製作してモーターを組み立てることで大気を通る磁力がより広い面積を通って回転子と固定子に作用することでモーターの回転トルクを大きくする。【選択図】図１
2019030201.tif 000002
【特許請求の範囲】
【請求項１】
直流モーターのトルクの増大を図るため回転子の外径を複数の外径に成形して軸方向断面が櫛状になるようにし対する固定子も軸方向断面が櫛状になるように成形して回転子の凸部に固定子の凹部がかみ合わさった状態で回転できるように組み立てした直流モーター
【請求項２】
固定子に永久磁石を使用するモーターで固定子同士の磁力の結合をモーターのケーシングで結合する方式の固定子を軸方向に溝と丘を平行に並べて数本作りケーシングも固定子の溝と丘の表面に添って溝と丘を作りこんで永久磁石とケーシングが一体となるよう製作した直流モーター
【発明の詳細な説明】
【技術分野】
【０００１】電流により磁力を発生させてギャップを介して回転運動を発生させるモーターについてギャップの間隙はそのままに磁力の通り道を広くすることにより回転トルクを増大出来る直流モーター
【背景技術】
【０００２】極小型の直流モーターは回転子を電磁鋼板で製作して固定子を永久磁石と鋼板を用いて製作され回転子に巻いた銅線に整流子を経由して直流電流を流して回転子を電磁石にして軸を中心に回転させる【０００３】回転子は軸を中心にしてバランスよく振動を発生せないで回転できるように３極を１２０度に配置し軸方向に必要な長さに組付けられる【０００４】固定子は永久磁石を２個使ってＳ極とＮ局を回転子に接触しない間隙を保って向かい合わせに配置されモーターの外装を経由して回転子に向かってＳ極Ｎ極の磁石を構成する【０００５】回転子に流した直流電流により発生した磁力は固定子の永久磁石の磁力と引き合い反発しあうことで軸を中心に回転する【０００６】回転子と固定子の磁力は大気を介して磁力を及ぼし回転力を発生させるので磁力は大気の透磁力と回転子と固定子が向き合っている面積で決まるそのため回転子の電磁鋼板の磁力の大きさを大きくしても固定子の磁石の磁力を大きくしてもモーターのトルクは大きくならない【０００７】透磁率が低い大気の中の回転子と固定子が向き合う面積を増加させることがモーターのトルクを増加させるために必要である
【発明の概要】
【発明が解決しようとする課題】
【０００８】モーターの外形寸法を変えずにトルクを増大させるために固定子と回転子が大気中で間隙を保って向き合う面積を増加させる
【課題を解決するための手段】
【０００９】モーター内部の回転子と固定子の間の向き合う面積を広くするために回転子の外周を複数の外径の軸方向断面が櫛の歯状に製作し固定子の内径も回転子に間隙を保って向き合うよう軸方向断面が櫛の歯状に製作してモーターを組み立てることで大気を通る磁力がより広い面積を通って回転子と固定子に作用することでモーターの回転トルクを大きくする
【発明の効果】
【００１０】モーターのトルクを大きくして減速機のギヤ比を低くできれば減速機の構造も単純になり製造コストを低くできるまたトルクを同じくしてモーターのサイズを小さくすれば機械全体の軽量化も実現できる
【図面の簡単な説明】
【００１１】
【図１】に回転子の外径が複数（図では２外径）で固定子の内径が複数（図では２内径）に加工して回転子と固定子が間隙を保って組み合わさるようにした直流モーターの概念図を示すこの図では固定子と外装の関係でも磁力が多く伝わるように接触面積が多くなる形状としている
【発明を実施するための形態】
【００１２】図１の概念図に示したように回転子の外径と固定子の内径を成形して直流モーターとして組み立てる
【実施例】未実施
【産業上の利用可能性】未定
【図１】
2019030201.tif 000003
(57)【要約】      （修正有）【課題】猫の移住空間を保ち、長時間外出を可能にした猫用移動式ケージカートの提供。【解決手段】格子状ネット１を四方で囲み、天板２と底板３で構成された縦長の箱状ケージを複数段に設け、各段は猫が上下運動をできるように開いている空間を設け、各段を仕切り板が開閉自在にし、各段に扉を設け、上段はペットキャリーごと入る大きな扉９を設け、中段はフードや水、爪とぎを出し入れする扉を設け、下段は猫用トイレを出し入れする大きな扉１１を設け、底板３にタイヤ１３をつけたことを特徴とする隔離仕切り付き猫用移動式ケージカート。【選択図】図１
2019030282.tif 000002
【特許請求の範囲】
【請求項１】
格子状ネットを四方で囲み、天板と底板で構成された縦長の箱状ケージを複数段に設け、各段は猫が上下運動をできるように開いている空間を設け、各段を仕切り板が開閉自在にし、各段に扉を設け、上段はペットキャリーごと入る大きな扉を設け、中段はフードや水、爪とぎを出し入れする扉を設け、下段は猫用トイレを出し入れする大きな扉を設け、底板にタイヤをつけたことを特徴とする隔離仕切り付き猫用移動式ケージカート。
【発明の詳細な説明】
【技術分野】
【０００１】  本発明は、猫の移住空間を保ち、長時間外出を可能にした猫用移動式ケージカートに関するものである。
【背景技術】
【０００２】  近年は、ペットも家族の一員という位置付けで、自然災害等でペットとの同行避難や、旅行などにペットを連れて行くこともできるが、外出時の猫は、キャリーケースやキャリーバッグに限定されている。
狭いペットキャリーバッグは、長期的な野外での外出には不向きで、猫の生活に必要な食事やお水、爪とぎ、トイレは上下運動等が出来ないので、ストレスを与えてしまう。
キャスター付きのケージもあるが、室内のみで限定されている（特許文献１参照）。
【先行技術文献】
【特許文献】
【０００３】
【特許文献１】特開２０１６−１４４４０７号公報
【発明の概要】
【発明が解決しようとする課題】
【０００４】それには次のような問題があった。
（イ）従来一般の猫用ケージは、室内用で開閉時には、猫がケージの外に飛び出ることも可能になっている。
（ロ）外出用のキャリーケースバッグ等は、猫の食事やお水、トイレはできない構造になっている。
本発明は、以上の問題点を解決するためのものである。
【課題を解決するための手段】
【０００５】  格子状ネットを四方で囲み、天板と底板で構成された縦長の箱状ケージを複数段に設け、各段は猫が上下運動をできるように開いている空間を設け、各段を仕切り板が開閉自在にし、各段に扉を設け、上段はペットキャリーごと入る大きな扉を設け、中段はフードや水、爪とぎを出し入れする扉を設け、下段は猫用トイレを出し入れする大きな扉を設け、底板にタイヤをつけたことを特徴とする猫用移動式ケージカート。
【発明の効果】
【０００６】  猫の移住空間として、長時間外出が可能になるので、災害時に同行避難ができ、また飼い主と一緒に旅行へ連れて行くことも可能になり、環境の変化に弱い猫がストレスなく過ごせる空間を保てる。
各段を隔離することによって、掃除やお世話を、猫が脱走することなく可能になることと、衛生面が保てるので、猫が快適に過ごすことができる。
【図面の簡単な説明】
【０００７】
【図１】  本発明の斜視図である。
【図２】  本発明の上段スライド仕切り板の斜視図である。
【図３】  本発明の格子状ネットの輪郭と、猫用備品を仮に置いた場合の斜視図である。
【発明を実施するための形態】
【０００８】  以下、本発明の実施の形態について説明する。
【０００９】  本発明の猫用ケージ部分は、格子状ネット（１）を４方向の縦長に囲み、上は天板（２）、下は底板（３）の箱状で形成され、天板（２）にすることにより、直射日光や雨天を防ぐことができる。
【００１０】  箱状のケージは、複数段設け、一例として図１に示すように３段に分かれ、上段仕切り板（４）、下段仕切り板（５）を設け、一部分は上下運動ができるよう段の端が開いており、上段と中段の間は上段スライド仕切り板（６）を設け、中段と下段の間は下段スライド仕切り板（７）を設け、それぞれの段の隔離を可能にし、仕切りは、安全のため、開口時閉口時ともにスライド扉ロック（８）を設けた。
【００１１】  ３段に仕切られたケージの上段は、小型ペットキャリーごと入る大きな上段扉（９）を設け、中段はフードや水、爪とぎ等を出し入れする中段扉（１０）を設け、下段は、猫用トイレの出し入れが可能な大きな下段扉（１１）を設ける。
外部との各扉には鍵（１２）を設ける。
【００１２】  ケージごと移動を可能になるよう底板（３）には、タイヤ（１３）を設け、押しやすいように手押しハンドル（１４）を設けた。
【００１３】  安全のため、ハンドルにはブレーキ（１５）、タイヤはロック（１６）とした。
【００１４】  本発明を使用する時は、上段に猫の入ったペットキャリー（１７）ごと入れ、猫が出入りできるように開けておけば、キャリーはそのまま猫の休む場所やベッドの役割になり、二段目にフード（１８）やお水（１９）、爪とぎ（２０）を用意しておけば、猫が必要に応じて二段目に移動でき、下段に猫用トイレ（２１）を設置しておけば、猫がトイレをすることができる。
【００１５】  猫が下段にいない時に、下段スライド仕切り板（５）を閉めれば、猫が下段に移動できずトイレ掃除ができ、中段にいない時に、猫のいる方のスライド仕切り板を閉じれば、猫が逃げずにフード（１８）やお水（１９）を替えることができ、お世話をしない時は、常時スライド仕切りは開けておき、猫の好きな上下運動ができるようにしておく。
【符号の説明】
【００１６】    １    格子状ネット
２    天板
３    底板
４    上段仕切り板
５    下段仕切り板
６    上段スライド仕切り板
７    下段スライド仕切り板
８    スライド扉ロック
９    上段扉
１０  中段扉
１１  下段扉
１２  扉用鍵
１３  タイヤ
１４  手押しハンドル
１５  ブレーキ
１６  タイヤロック
１７  ペットキャリー
１８  フード
１９  水
２０  爪とぎ
２１  猫用トイレ
【図１】
2019030282.tif 000003
【図２】
2019030282.tif 000004
【図３】
2019030282.tif 000005
(57)【要約】【課題】壁面や天井面に設置した場合に、植物の乾燥収縮により、植物が剥落しない緑化基盤を提供する。【解決手段】緑化基盤に、地表面側を上面とする円錐台又は角錐台の孔を備える。【選択図】図１
2019030281.tif 000002
【特許請求の範囲】
【請求項１】
地表面側を上面とする円錐台又は角錐台の孔を備えていることを特徴とする緑化基盤。
【請求項２】
取付用磁石を備えていることを特徴とする請求項１に記載の緑化基盤。
【発明の詳細な説明】
【技術分野】
【０００１】  本発明は、壁面や天井面の緑化基盤に関する。
【背景技術】
【０００２】  従来から、板状の多孔質セラミックス体を使用した緑化基盤が知られている。この緑化基盤は、多孔質セラミックス体表面の多数の突起及び孔隙に枝部を引っ掛けて、植物を定着させるように構成されている。
【先行技術文献】
【特許文献】
【０００３】
【特許文献１】特開２００３−１５８９１６号公報
【発明の概要】
【発明が解決しようとする課題】
【０００４】  しかしながら、上記従来の緑化基盤は、壁面や天井面に設置した場合に、植物の乾燥収縮により緑化基盤から植物が剥落してしまうといった問題がある。
【課題を解決するための手段】
【０００５】  上記課題を解決するために、本発明は、地表面側を上面とする円錐台又は角錐台の孔を備えていることを特徴とする緑化基盤とした。
【発明の効果】
【０００６】  本発明の緑化基盤は、植物の乾燥収縮時に植物の枝部や根部が、地表面側を上面とする円錐台又は角錐台の孔に引っ掛かるので、剥落しにくい。
【図面の簡単な説明】
【０００７】
【図１】本発明の実施例に係る緑化基盤の断面図である。
【発明を実施するための形態】
【０００８】
【実施例】
【０００９】  円錐台又は角錐台の孔１に植物の枝部や根部を定着させ、取付用磁石２で鋼製壁面等に取り付ける。
【符号の説明】
【００１０】１  円錐台又は角錐台の孔
２  取付用磁石
【図１】
2019030281.tif 000003
(57)【要約】【課題】トイレットペーパーをトイレットペーパーホルダーに簡単にセット出来、トイレットペーパーを片手で簡単に確実に必要量をカット出来るトイレットペーパーホルダーで、製造、流通コスト等を大幅に下げる事の出来るトイレットペーパーホルダーを提供する。【解決手段】図１に示す様に、本体をＵ字状に作ることで蓋やバネを使わずに安定的にホルダー底部にトイレットペーパーをセット出来、カッターと共用できる、切り残したトイレットペーパーの一端を保持できる細かい多数の先端の尖った突起物群を設ける事で、片手で簡単に確実に必要量のトイレットペーパーを切り取る事が出来る。【選択図】図１
2019030615.tif 000002
【特許請求の範囲】
【請求項１】
Ｕ字形状の形成物にトイレットペーパーをセットする機能を持たせ、その一端に壁等への取り付け機能、また別の一端にトイレットペーパー端末の保持とカットの二つの機能を持つ多数の先端の尖った小突起物群を設け、一体加工できる本体以外に部品を必要としないで必要な全ての機能を持つトイレットペーパーホルダー。
【発明の詳細な説明】
【技術分野】
【０００１】本発明は、トイレットペーパーを簡単にセット出来、かつ片手で容易に必要量のトイレットペーパーを切り取る事が出来る様に工夫したトイレットペーパーホルダーに関するものである。
【背景技術】
【０００２】従来、トイレットペーパーホルダーには多くの提案がなされているが、片手でトイレットペーパーを切り取る事が出来なかったり、構造が複雑であったりして、部品数が多く製造コストが下げられなかった欠点が多く見受けられた。
【先行技術文献】
【特許文献】
【０００３】
【特許文献１】特開平８−５００号公報
【特許文献２】特許第３５１６４４７号公報
【特許文献３】特開２０１７−７０７０１号公報
【特許文献４】特開２０１７−５１５８１号公報
【発明の概要】
【発明が解決しようとする課題】
【０００４】従来のトイレットペーパーホルダーには、概ね三つの問題点があった。一つは、トイレットペーパーのセットが面倒である点。二つは、片手で簡単にトイレットペーパが切り取れない。三つは、部品の数が多く、部品製造や組み立てに手間がかかり、製品コストが高くなる。
【課題を解決するための手段】
【０００５】トイレットペーパーホルダーを深めのＵ字型にし、その底部に置くだけでトイレットペーパーをセット出来るようにし、Ｕ字型の一方を壁等への取り付け部分とし、もう一方の先端に一体成型で細かい突起物を沢山設けてトイレットペーパーの保持とカッターに共用する。
【発明の効果】
【０００６】トイレットペーパーを深めのＵ字型の底部にセットすることで、トイレットペーパーは自重で本体底部に安定的に収まるので従来技術でのトイレットパーパーのロールをセットする心棒が不要になり、蓋やバネで抑える必要も無くなる。更にＵ字型の一方に一体成型で設置した細かい突起物にトイレットペーパーの一端が刺さる様にし、そのままトイレットペーパーを引くとカットできるので、トイレットパーパーの先端の保持とカットが一か所で行える。従って従来技術ではカッターを別部材で作って取り付けていたがその必要もなくなる。
【図面の簡単な説明】
【０００７】
【図１】は本発明のトイレットペーパーホルダーの斜視図である。
【図２】は図１の部分拡大図である。
【図３】はホルダーにセットしたトイレットペーパーが引き出される様子の状態図である。
【図４】は引き出されたトイレットペーパーがホルダーの突起物に絡みつく直前の状態図である。
【図５】はトイレットペーパーがホルダーの突起物に刺さった状態図である。
【図６】はトイレットペーパーがカットされた状態図である。
【発明を実施するための形態】
【０００８】以下、本発明の形態について説明する
（イ）図１において、ホルダー本体（１）は、ネジ穴（２）によって壁等に取り付ける。Ｕ字形状の形成物のホルダー本体底部（３）に接する様にトイレットペーパー（４）を置く。トイレットペーパー（４）は側板（５）によってホルダー本体から落ちない様にセットされる。突起物群（６）は、トイレットペーパーを突き刺す役目と、カットする二つの役割を持つ。
（ロ）図２は突起物群（６）の詳細図である。突起物は先端を尖らせた小さいものを複数列に多数設置して突起物群とする。
（ハ）図３はトイレットペーパー（５）をセットした状態の、ホルダーの側面断面図（図１）の矢視（Ａ）で、トイレットペーパーを矢印（Ｂ）の方向に引き出すと、トイレットペーパー（５）は矢印（Ｃ）の方向に回転する。引き出されたトイレットペーパー端末（７）は、次に矢印（Ｄ）の様に下方に引く。
（ニ）図４で、下方に引き出されたトイレットペーパー端末（７）は突起物群（６）に近づく。
（ホ）図５で、突起物群（６）に近づいたトイレットペーパー端末（７）は矢印（Ｄ）の方向に更に引くと、トイレットペーパー端末（７）は、突起物群（６）に刺さる。
（ヘ）図６で、突起物群（６）に刺さったトイレットペーパー端末（７）は、更に矢印（Ｄ）の方向に引くと、突起物群（６）の端（８）でカットされ、（９）になる。突起物群（６）に刺さって残ったトイレットペーパー端末（７）は、次にトイレットペーパーを引き出す時に突起物群（６）から指でつまんで外して引き出す。
【符号の説明】
【０００９】１、ホルダー本体
２、ネジ穴
３、ホルダー本体底部
４、トイレットペーパー
５、ホルダー本体側板（両側）
６、細かい先端の尖った突起物群（以下突起物群）
７、引き出されたトイレットペーパーの端末
８、突起物群の端
９、引き出されカットされたトイレットペーパー
Ａ、矢視方向
Ｂ、トイレットペーパーの上部への引き出し方向
Ｃ、トイレットペーパーの左回転方向
Ｄ、トイレットペーパーの下部への引き出し方向
【図１】
2019030615.tif 000003
【図２】
2019030615.tif 000004
【図３】
2019030615.tif 000005
【図４】
2019030615.tif 000006
【図５】
2019030615.tif 000007
【図６】
2019030615.tif 000008
(57)【要約】【課題】収納しやすい折り畳み傘のケースを提供する。【解決手段】傘のケースを板状にし、            板状のケースの内側には磁石と外側には金具を設け、            板状のケースに傘の柄に繋げるための取付具を付け、            板状のケースに蓋に繋げるための取付具を付ける。            蓋の内部に吸水布を張った板状の傘のケース。【選択図】図１
2019030612.tif 000002
【特許請求の範囲】
【請求項１】
（イ）板状のケースの内側には磁石と外側には金具を設ける、
（ロ）板状のケースに傘の柄に繋げるための取付具を付ける、
（ハ）板状のケースに蓋に繋げるための取付具を付ける、
（ニ）蓋の内部に吸水布を張る、
以上のように構成された、板状の傘のケース。
【発明の詳細な説明】
【技術分野】
【０００１】本発明は、折り畳み傘のケースに関するものである。
【背景技術】
【０００２】従来の折り畳み傘のケースは袋状のものであった
【発明の概要】
【発明が解決しようとする課題】
【０００３】そのために次のような問題点があった。
（イ）袋状のケースに収めにくい。
（ロ）傘をコンパクトにするには挟まった布をはずし、紐で縛るためわずらわしく手が濡      れてしまう。
（ハ）袋状のケースに収めにくいため、ケースを持たず、濡れたまま携帯してしまう。
本発明は、これらの問題点を解決するためになされたものである。
【課題を解決するための手段】
【０００４】（イ）傘のケースを板状にする。
（ロ）板状のケースの内側には磁石と外側には金具を設ける。
（ハ）板状のケースに傘の柄に繋げるための取付具を付ける。
（ニ）板状のケースに蓋に繋げるための取付具を付ける。
（ホ）蓋の内部に吸水布を張る。
以上のように構成された、板状の傘のケース。
【発明の効果】
【０００５】袋状ではないので傘がケースに収めやすい。
傘を閉じるときに紐でしばる必要がないため、わずらわしさ解消と手が濡れるのを極力減らすことができる。
傘の柄に取り付けられるので傘を開いているときにケースを紛失しにくい。
【図面の簡単な説明】
【０００６】
【図１】板状の傘のケースの展開図。
【図２】傘を本発明の板状のケースに乗せた状態図。
【図３】傘を本発明の板状のケースに収めた状態図。
【発明を実施するための形態】
【０００７】以下、本発明の実施の形態を説明する。
（イ）図１に示すように、板状のケース（１）を開いた状態を示す
（ロ）板状のケース（１）の内側には磁石（２）と外側には金具（３）を設ける
（ハ）板状のケース（１）に傘（８）の柄（９）に繋げるための取付具（４）を付け、傘      （８）の柄（９）とつなげる
（ニ）板状のケース（１）に蓋（６）に繋げるための取付具（５）を付け、水滴をふせぐ      蓋（６）とつなげる。
（ホ）蓋（６）の内部に吸水布（７）を張る。
本発明は以上のような構成である。
【０００８】  本発明を使用するときは、図２のように板状のケース（１）を手（１０）に持ち、ケースの上に傘（８）を乗せ、くるくる回すことにより広がった傘（８）の布を巻き込む。
板状のケース（１）を折り曲げ、濡れた傘（８）を囲い込み、磁石（２）と金具（３）で板状のケース（１）を閉じ、蓋（６）をする。このことによって、濡れた傘の水滴等が板状のケースの外側に漏れる事も無く、更に手に水滴がつかないので、濡れた手を拭くわずらわしさが無くなった。図３の状態で鞄等に収納しても傘の水滴は蓋（６）の吸水布（７）に吸収されるので漏れる事も無い。傘の使用時は、ケース（１）を傘の柄にぶら下げるか柄に取付るためケースを無くす事も無い。ケースは布でないため傘を立てて保管することも可能である。
【符号の説明】
【０００９】１板状のケース、２磁石、３金具、４取付具（傘とケースをつなぐ）、５取付具（ケースと蓋をつなぐ）、６蓋、７吸水布、８傘、９柄、１０手
【図１】
2019030612.tif 000003
【図２】
2019030612.tif 000004
【図３】
2019030612.tif 000005
(57)【要約】【課題】  高齢者や後期高齢者または目が比較的不自由な人が、縫い針の穴に糸を通すのが困難なので、その課題を解決する手段を提供するものである。【解決手段】  図１のように本縫い針の穴（上下に少し長くなっている）の一端の上の部分に、角度約４５度の切り込み（１）を設けて、糸を本縫い針の穴に通すのではなくて、この切り込み（１）の間を糸をくぐすのを特徴とする。【選択図】図１
2019030619.tif 000002
【特許請求の範囲】
【請求項１】
本縫い針は、従来の縫い針とは異なり、穴（上下に少し長くなっている）の一端の上の部分に斜め約４５度に切り込み（１）を設けたことである。
具体的な内容については、明細書の「発明を実施するための形態」に書いている。
【発明の詳細な説明】
【技術分野】
【０００１】  糸を通す必要のない不思議な縫い針（以下は本縫い針と称する）は、高齢者や後期高齢者の人々で、縫い針の穴に糸を通すのに苦労しているのが現状であるが、しかし本縫い針を使えば年寄りであっても簡単に、本縫い針の穴に糸が入るようにしてあるので裁縫を楽しむことが出来る。
但し、本縫い針の穴は上下に少し長くなっている。
【背景技術】
【０００２】  従来の縫い針は、普通の縫い針やふとん針などの縫い針があるが、高齢者や後期高齢者にとっては縫い針の穴に糸を通すのが難しい。
【先行技術】
【０００３】
【発明の概要】
【発明が解決しようとする課題】
【０００４】  従来の縫い針は、高齢者や後期高齢者にとっては、縫い針の穴に糸を通すのが難しい。
そこで私が考案した、本縫い針を使えば、苦労することなく本縫い針の穴に糸を入れることができる。
【課題を解決するための手段】
【０００５】  この課題を解決するために、「思考実験」や「試作品を作り試作実験」を繰り返し行い課題を解決することができた。
その構造は本縫い針の穴（上下に少し長くなっている）の上の部分に傾斜を付けて切り込み（１）を設けるのである。
【発明の効果】
【０００６】  本縫い針を使用することにより、高齢者や後期高齢者又は少々目の不自由なな人でも本縫い針の穴（上下に少し長くなっている）に糸を入れることができ裁縫を楽しむことができる。
【図面の簡単な説明】
【０００７】
【図１】  本発明の断面図である。
【図２】  本発明の底面図である。
【発明を実施するための形態】
【０００８】  以下、本発明を実施するための形態について説明する。
本縫い針の穴（上下に少し長くなっている）の出来るだけ上の一端に、約４５度の傾斜をつけて切り込み（１）を設けるのである。
この切り込み（１）の幅は、約０，２ｍｍギャップとする。
しかもこの切り込み（１）の上側より、下側を少しへこますと裁縫した時に布が本縫い針に引っかかることがなくスムーズに縫うことが出来る。
この切り込み（１）を設けることにより、従来の縫い針のように穴に糸を通すのではなくて、本縫い針ではこの切り込み（１）の間を糸をくぐすことにより、簡単に糸を穴に入れることが出来る。
【符号の説明】
【０００９】  １  切り込み
【図１】
2019030619.tif 000003
【図２】
2019030619.tif 000004
(57)【要約】【課題】  本発明は，コンピュータ及び，一般電子回路が起動の外部信号を受けるまで待機している状態で，一般的には僅かでも待機電流を必要とするが，本回路は起動回路などの待機電流を完全にゼロにする回路であり，更に非常に安価で手軽に実用化可能なものに関する。【解決手段】  基本的には既存回路の制御用，もしくは演算用の集積素子の電源ピンにフォトカプラやリレーを，起動スイッチの働きをするスイッチやセンサーに並列に配置すればよい。そして，制御用，もしくは演算用の集積回路には前述のフォトカプラーやリレーの一次側に出力信号を出し，自己の制御用，もしくは演算用の集積素子の電源に電力を供給する。また，通常動作時でも消費電力を考慮した回路構成を考えるのがより効果的と思われる。【選択図】図１
2019049954.tif 000002
【特許請求の範囲】
【請求項１】
コンピュータ回路及び，一般電子回路における待機電流ゼロの電子回路。
【発明の詳細な説明】
【技術分野】
【０００１】  本発明は，コンピュータ及び，一般電子回路が起動の外部信号を受けるまで待機している状態で，一般的には僅かでも待機電流を必要とするが，本回路は起動回路などの待機電流を完全にゼロにする回路であり，更に非常に安価で手軽に実用化可能なものに関する。
【背景技術】
【０００２】  今までの待機電流ゼロ回路は，基本的には集積回路開発段階で非常に微弱な電力でも動く起動回路を製作したり，集積回路のスリープ機能などを向上させたものが殆どである。集積回路の開発などの大掛かりな仕様変更を伴わないと実現しない技術である割には，待機電流ゼロといっても実際は僅かながら消費しているのが現状である。技術は，もう一度省エネルギーやエコについて真正面から取り組む必要性がある。
【先行技術文献】
【特許文献】
【０００３】なし
【特許文献１】なし
【特許文献２】なし
【非特許文献】
【０００４】なし
【非特許文献１】
【非特許文献２】
【発明の概要】
【発明が解決しようとする課題】
【０００５】  通常の待機電流を下げる回路は，前述のとおり大掛かりな集積回路，集積素子の開発，製作などの手順を必要とする。もしくは，既存の集積回路での制御技術として，例えばスリープ機能などを駆使するプログラム的な手法をとらなければならない。そこで，電子回路的な部分では安価な電子部品を使用し，単純な回路構成ながら，どのような集積回路，集積素子や電子制御回路でも改良が可能で，ソフトウエアの変更も必要ではあるが，最小限のプログラミングで実現が可能である。
【課題を解決するための手段】
【０００６】  制御用，もしくは演算用の集積回路の電源部分に起動スイッチを配すが，その起動スイッチに並列にフォトカプラの二次側を配線する。そして，フォトカプラの一次側に制御用，もしくは演算用の集積回路，集積素子の出力ピンを配線する。プログラムの変更点としては，起動スイッチから入力あったらプログラムによりフォトカプラの一次側に出力信号を出すことにより，前述のフォトカプラの二次側に電源が供給される。このフォトカプラーの動作については制御用，もしくは演算用の集積回路のプログラム次第であり，総ての動作が終了した時点でフォトカプラへの信号を絶てば，元の消費電力ゼロの起動信号待ちの状態に戻る。なお，フォトカプラの電子部品の部分は機械式リレーや他のデバイスの利用も十分可能である。
【発明の効果】
【０００７】  今までの消費電力ゼロ回路は消費電力ゼロではなく，様々な努力で非常に少ない電力で起動回路を動かしていることが多い。今回の発明では，本当に消費電力はゼロである。その上，電子回路的には既存の各種電子回路に容易に追加加工でき，ソフトウエア的にも容易に追加可能である。耐久性や，耐ノイズ性などの安全性も非常に高い特性を有している。その上付加資金は，数十円から，数百円の安価なものである。この事により待機電流はゼロとなり，電池ならば自然放電以外に待機状態で失う電力はない。
【図面の簡単な説明】
【０００８】
【図１】  制御用，もしくは演算用の集積素子の電源端子に起動用のスイッチとフォトカプラまたは機械式リレーや他のデバイスの二次側を配線する。
【発明を実施するための形態】
【０００９】  基本的には既存回路の制御用，もしくは演算用の集積素子の電源ピンにフォトカプラやリレーを，起動スイッチの働きをするスイッチやセンサーに並列に配置すればよい。そして，制御用，もしくは演算用の集積回路には前述のフォトカプラーやリレーの一次側に出力信号を出し，自己の制御用，もしくは演算用の集積素子の電源に電力を供給する。また，通常動作時でも消費電力を考慮した回路構成を考えるのがより効果的と思われる。
【実施例】
【００１０】  実用例は震災ライトとして製作したもので，電源にはＬＲ４４型電池を２個直列で用いた回路である。ＬＲ４４等のボタン電池を用いた理由は，震災における津波や災害における台風や洪水などの，水に関することを考えたからで，実用回路は５００ｃｃのペットボトルに入れること想定した。この震災ライトは入力にチルトセンサーを用いて振動（地震）を検知し，その結果，２個のＬＥＤアレーに電流を流して点灯させるものである。点灯もパルス点灯として消費電力を抑えて，更に２秒間のみの点灯としている。問題は，何時来るか分からない震災や災害を小さなボタン電池で待つのは大変な事である。通常，どんな制御用，もしくは演算用の集積回路でも起動のための待機電流を必要とするが，それを使っていては何時来るか分からない震災や災害を待つのが困難なことは想像に優しい。そこで，本回路を使用すれば，待機電流ゼロなので電池の自然放電以外の電力低下は原理的にあり得ず，非常に信頼性が高く，経済的な回路構成が可能である。
【産業上の利用可能性】
【００１１】  各種リモコン関係などには利用価値が高いと思われる。また，制御用，もしくは演算用の集積回路の非常用システムなどでのエマージェンシー的な回路への応用は是非行うべきだと思われる。特に，何時入力信号が入るか分からないような長時間待機システムには有効で，各種警備システムや，防災システムなどに役立つと思われる。
【符号の説明】
【・・・・】
【受託番号】
【・・・・】
【図１】
2019049954.tif 000003